(57)【要約】【課題】  金属線材からなるリングに石を固定した指輪に関し、材料さえあれば誰でも比較的簡単に製作することができ、製作者の個性を表現することも可能な指輪及びその製造方法を提供する。【解決手段】  指輪のリング２を複数本の線材６、７で形成し、それらの線材の先端を当該リングに石１を固定する爪３とした線材を丸く屈曲して指を挿入する円環を形成し、端部７ａ、７ｂを前記円環の所定箇所で外側に引き出した状態で複数本の線材７を前記円環に添設し、線材ないし帯板材８で添設された線材を結束し、線材の複数の端部７ａ、７ｂを放射方向に開いて石１を載せ、前記端部の先端７ｃを当該石の周囲に係止して加圧する。線材としては、銀線、洋白線、アルミニウム線などが適しており、これらにメッキや着色を施すことにより、多様な装飾性を付与できる。【選択図】      図１
2005110856.tif 000002
【特許請求の範囲】
【請求項１】
円環を形成する少なくとも１本の第１線材(6)と、前記円環の一部に端部(7a,7b)を所定長さで引き出した複数本の第２線材(7)と、これらの線材(6,7)を結束する結束部材(8)と、石(1)とで形成され、前記石は、前記引き出した線材の端部先端(7c)で周囲の複数箇所を係止して固定されている、指輪。
【請求項２】
前記結束部材が前記第１及び第２線材(6,7)に巻回した第３の線材ないし帯板材である、請求項１記載の指輪。
【請求項３】
押しつぶして加工硬化させることが可能な金属線材と、石とを一組にした、請求項１又は２記載の指輪を製造するための指輪組立セット。
【請求項４】
１本又は複数本の第１線材(6)を丸く屈曲して指を挿入する円環を形成し、端部(7a,7b)を前記円環の所定箇所で外側に引き出した状態で複数本の第２線材(7)を前記円環に添設し、第３線材ないし帯板材(8)で添設された第２線材と第１線材とを結束し、前記第２線材の複数の端部(7a,7b)を放射方向に開いて石(1)を載せ、前記端部の先端(7c)を当該石の周囲に係止して加圧する、指輪の製造方法。
【請求項５】
第２線材の複数の端部(7a,7b)を放射方向に開いた後、当該端部のうちの前記円環と直交する方向に延びる２本をその中間部で結束して石を載せる、請求項４記載の指輪の製造方法。
【発明の詳細な説明】
【技術分野】
【０００１】
この発明は、指輪に関するもので、金属線材からなるリングに石を固定した手作り可能な指輪に関するものである。
【背景技術】
【０００２】
銀線や金メッキ線などのワイヤ（線材）で宝石や焼物などの装飾物（以下、「石」と総称する）を固定した装身具として、例えば石の周囲を縁取るように線材を配置して、当該線材で石の上端に鎖を通すリングを形成したブローチなどが知られている。
【０００３】
一方、線材でリングを形成した指輪としては、線材をコイル状に巻いたものや、石に貫通孔を設けて線材を挿通したものが提案されているが、コイル状のものは石を固定することができず、また石に貫通孔を設けるものは、石の加工が難しい上に石の価値を半減させ、更に装着感や装着したときの外観が好ましいとは言えないという問題がある。
【０００４】
一方、生活や趣味の多様化により、自分だけの装身具を手作りで作ることも広く行われるようになっており、装身具の手作り教室なども各地で行われている。
【特許文献１】登録実用新案第３０３４６３９号公報
【特許文献２】特開平８‐５６７１６号公報
【発明の開示】
【発明が解決しようとする課題】
【０００５】
そこでこの発明は、材料さえあれば誰でも比較的簡単に製作することができ、製作者の個性を表現することも可能な指輪及びその製造方法を提供することを課題としている。
【課題を解決するための手段】
【０００６】
この発明は、指輪のリング２を複数本の線材６、７で形成し、それらの線材の先端を当該リングに石１を固定する爪３とした構造の指輪を提供することにより、上記課題を解決したものである。
【０００７】
すなわち、本願請求項１の発明に係る指輪は、円環を形成する少なくとも１本の第１線材６と、前記円環の一部に端部７ａ、７ｂを所定長さで引き出した複数本の第２線材７と、これらの線材６、７を結束する結束部材８と、石１とで形成され、前記石は、前記引き出した線材の端部先端７ｃで周囲の複数箇所を係止して固定されているというものである。
【０００８】
請求項２の発明は、上記構成の指輪において、前記結束部材が前記第１及び第２線材６、７に巻回した第３の線材ないし帯板材であることを特徴とするものである。
【０００９】
請求項３の発明は、請求項１又は２記載の指輪を製造するための指輪組立セットであって、押しつぶして加工硬化させることが可能な金属線材と、石とを一組にした指輪組立セットである。
【００１０】
請求項４の発明は、上記請求項１又は２記載の指輪の製造方法であって、１本又は複数本の第１線材６を丸く屈曲して指を挿入する円環を形成し、端部７ａ、７ｂを前記円環の所定箇所で外側に引き出した状態で複数本の第２線材７を前記円環に添設し、第３線材ないし帯板材８で添設された第２線材と第１線材とを結束し、前記第２線材の複数の端部７ａ、７ｂを放射方向に開いて石１を載せ、前記端部の先端７ｃを当該石の周囲に係止して加圧するというものである。加工硬化性の金属線材を用いることにより、前記加圧操作で線材の先端が硬化し、石を固定するための強固な爪が形成される。
【００１１】
請求項５の発明は、上記指輪の製造方法において、第２線材の複数の端部７ａ、７ｂを放射方向に開いた後、当該端部のうちの前記円環と直交する方向に延びる２本をその中間部で結束して石を載せることを特徴とするものである。
【００１２】
上記構造ないし方法における線材６、７、８としては、銀線、洋白線、アルミニウム線などが適しており、これらにメッキや着色を施すことにより、多様な装飾性を付与できる。上記第１線材は、必ずしも独立した１本の線材である必要はなく、図４に示すように、第２線材７の１本（又は複数本）を二重巻きにして、当該第２線材の中間部分を第１線材６とすることもできる。第１線材６、第２線材７及び第３線材８は、一般的には同一材質同一太さの線材で、１本の線材を所望長さに切断して用いればよい。
【発明の効果】
【００１３】
以上説明したこの発明の指輪は、適度な強度と可撓性及び加工硬化性を備えた金属線材を用いれば、初めての者でも比較的容易に体裁の良いリングを作ることができ、かつ当該リング２に固定される石１は、一般的な指輪の固定構造と同様な周辺複数箇所を爪３で係止した固定構造となるので、装着感や外観も通常の指輪と変わらないものができる。そして、爪の先端の形状や複数本の線材を結束する位置やその結束態様を変えることによって、製作者の個性を表現することもでき、比較的簡単に自分だけの個性的な指輪を作ることができるという効果がある。
【発明を実施するための最良の形態】
【００１４】
以下、図面を参照して、この発明の実施形態について説明する。図１は、この発明の指輪の一例を石の裏側から見た図で、１は石、２は指を挿通するリングである。リング２は、完全な円環を形成する少なくとも１本の第１線材６と、これに添設した複数本の第２線材７とを第３線材８を巻き付けて結束することにより形成されており、第３線材８が結束部材となっている。図の例では、第３線材８による結束箇所は、石１の両側４ａと石１のちょうど反対側４ｂとの３箇所となっているが、４箇所以上設けることもできるし、リング全体に亘って結束することもできる。石１の固定を確実にするために、石１の両側部分には結束箇所４ａを設ける必要がある。
【００１５】
第２線材７の両端部は、石１の両端の結束箇所４ａから引き出されて広げられて、それらの先端７ｃが石１の周囲から表側へ押し曲げられて爪３となっている（図２、図５参照）。リング２と直交する方向に伸びる第２線材の端部７ａ、７ｂは、中間部４ｃで２本が第３線材８により結束されて補強され、石１が確実に定置されるようにしてある。また、石１の表側に折り曲げられた線材の先端の爪３は、ペンチなどで折り曲げたときに押し潰され、硬化して石１を確実に保持している。石１を保持する爪３の数は、第２線材７の本数を増やすことによって増やすことができ、例えば図２（ａ）は３本の第２線材の両端で６個の爪３を形成したもの、同図（ｂ）は５本の第２線材の両端で１０本の爪３を配置した例を示している。
【００１６】
次に図３を参照して、上述した指輪の製造方法を説明する。銀線、洋白線、アルミニウム線などの金属線材から所定長さを切断して、全周の円環を形成して第１線材６とする（図３（ａ））。次に同じ線材から切断した第２線材７をループ状に屈曲して第１線材６に添設し、その両端部７ａを外側に引き出せるようにしておく（同図（ｂ））。更に同様にして２本の第２線材７を、その両端部７ｂが外側に引き出されるようにして添設し（同図（ｃ））、第２線材の端部７ａ、７ｂが引き出されている部分４ａと、その中間の適当な箇所４ｂとに同一線材から切断した第３線材８を巻回して、第１線材６と第２線材７とを結束する（同図（ｄ））。そして、第２線材の端部の２本７ａを外側へ広げ、他の２本ずつ７ｂをリング２と直交する方向に広げて、その中間部４ｃを第３線材８で結束する。このように放射状に広げた第２線材の端部７ａ、７ｂの上に石１を置き、放射状に広げた第２線材の端部先端を石１の周囲から表側に屈曲し（同図（ｅ））、先端を適当な長さに切り揃えてペンチなどで押し曲げて、当該先端７ｃで石１の周囲複数箇所を挟み込む。この押し曲げ動作により、第２線材の先端が加工硬化して、石１を確実に保持する爪が形成される。
【００１７】
上記の方法では、指輪のリング２の完全な円環を第１線材６で製作して、その繋ぎ目６ａを第３線材８を巻回した結束箇所で固定するようにしたが、図４に示すように、第２線材７の１本を二重巻きにして、その中間部で完全な円環を形成することもでき、この場合には当該第２線材７の中間部が第１線材６となっている。また、図３の例では、第２線材を３本用いて６個の爪３を形成している（図２（ａ））が更に第２線材の本数を増やすことによって、図２（ｂ）に示すように、爪３の数を増やすことができることは、前述した通りである。
【００１８】
爪３は、石１の周囲に種々の間隔で配置することができるし、また図５に示すように、先端に渦巻きを形成するなど種々の形に屈曲して、好みの装飾性を付与することができる。
【産業上の利用可能性】
【００１９】
この発明の指輪は、完成品を製作して販売することもできるが、初めての者でも比較的簡単に体裁の良いものが製作できることから、例えばアクセサリーの手作り教室などにおいて、受講者が好みの石と線材を選んで、各人が好みのものを作るような用途に特に適している。従って、この発明は、完成品を製造販売するほか、上記のような手作り教室での製作方法の伝授や、その際に受講者に配る指輪の組立セットの提供という面での利用が可能である。
【図面の簡単な説明】
【００２０】
【図１】この発明の指輪の一実施例を裏面側から見た斜視図
【図２】石の正面から見た指輪の第１例と第２例とを示す正面図
【図３】製造方法の一例を示す説明図
【図４】他の製造方法の例を示す説明図
【図５】爪の先端を渦巻状とした例を示す正面図
【符号の説明】
【００２１】
１  石 
２  リング
３  爪
4a、4b、4c  結束箇所
６  第１線材
７  第２線材
7a、7b  第２線材の端部
7c  第２線材の先端
８  第３線材
【図１】
2005110856.tif 000003
【図２】
2005110856.tif 000004
【図３】
2005110856.tif 000005
【図４】
2005110856.tif 000006
【図５】
2005110856.tif 000007